(57)【要約】【課題】クラッチを完全締結状態からスリップ締結状態に遷移させる際、または、スリップ締結状態から完全締結状態に遷移させる際、駆動輪に出力されるトルクの変動を抑制すること。【解決手段】ハイブリッド車両の制御装置は、エンジンEngと、モータジェネレータMGと、第２クラッチCL2と、動作指令値演算処理構成（図７）と、を備える。第２クラッチCL2は、モータジェネレータMGと左右駆動輪LT,RTとの間に設けられ、スリップ締結した「WSC走行モード」等と完全締結した「HEV走行モード」等）の間でモード遷移する。動作指令値演算処理構成は、「HEV走行モード」等において、エンジンEng及びモータジェネレータMGへのENGトルク指令値及びMOTトルク指令値を、第２クラッチCL2の出力軸への目標伝達トルクであるT/M入力目標トルクに、エンジンEng及びモータジェネレータMGの回転上昇のためのイナーシャ成分のトルク（慣性トルク）を加算した値とする。【選択図】図７
2013221478.tif 000002
【特許請求の範囲】
【請求項１】
駆動源と、
前記駆動源と駆動輪との間に設けられ、スリップ締結したスリップ走行モードと完全締結した締結走行モードの間でモード遷移するクラッチと、
前記締結走行モードにおいて、前記駆動源への駆動トルク指令値を、クラッチ出力軸への目標伝達トルクに、前記駆動源の回転上昇のためのイナーシャ成分のトルクを加算した値とする動作指令値演算処理手段と、
を備えることを特徴とする車両の制御装置。
【請求項２】
請求項１に記載された車両の制御装置において、
前記動作指令値演算処理手段は、前記スリップ走行モードと前記締結走行モードの間でモード遷移するとき、前記スリップ走行モードにおいて、前記クラッチの伝達トルク容量指令値を、前記クラッチ出力軸への目標伝達トルクに設定し、前記駆動源を、前記クラッチの入力回転数と出力回転数の回転数差が所定の値を維持するように回転数制御する
ことを特徴とする車両の制御装置。
【請求項３】
請求項１又は２に記載された車両の制御装置において、
前記クラッチと前記駆動輪との間の駆動伝達系に自動変速機を有し、
前記動作指令値演算処理手段は、前記駆動源の回転上昇のためのイナーシャ成分のトルクを、前記自動変速機の目標変速比を使って演算するイナーシャトルク演算部を有する
ことを特徴とする車両の制御装置。
【請求項４】
請求項３に記載された車両の制御装置において、
前記自動変速機は、プライマリプーリとセカンダリプーリと両プーリに掛け渡されたベルトとを有し、前記スリップ走行モードであるか前記締結走行モードであるかにかかわらず変速比の無段階制御を継続するベルト式無段変速機であり、
前記イナーシャトルク演算部は、前記ベルト式無段変速機の目標変速比とセカンダリプーリ回転数により算出されるプライマリ回転加速度と、前記駆動源の回転に伴うイナーシャと、の積算によりイナーシャトルクを演算する
ことを特徴とする車両の制御装置。
【発明の詳細な説明】
【技術分野】
【０００１】
本発明は、駆動源と駆動輪の間にクラッチが設けられ、スリップ締結したスリップ走行モードと完全締結した締結走行モードを有する車両の制御装置に関する。
【背景技術】
【０００２】
従来、ハイブリッド車両の制御装置としては、モータと駆動輪との間のクラッチをスリップ締結させて走行するスリップ走行モードにおいて、モータトルクをドライバー要求に基づいて決定する一方、クラッチの伝達トルクをクラッチの入力側回転数（すなわちモータ回転数）が略一定となる伝達トルク容量に設定したものが知られている（特許文献１参照）。
【先行技術文献】
【特許文献】
【０００３】
【特許文献１】特開２００１−２６３３８３号公報
【発明の概要】
【発明が解決しようとする課題】
【０００４】
しかしながら、上記従来装置にあっては、クラッチの完全締結時における回転数にのみ着目し、各回転要素のイナーシャ（慣性）を考慮していないため、締結ショックを十分に回避できない、という問題があった。
【０００５】
本発明は、上記問題に着目してなされたもので、クラッチを完全締結状態からスリップ締結状態に遷移させる際、または、スリップ締結状態から完全締結状態に遷移させる際、駆動輪に出力されるトルクの変動を抑制することができる車両の制御装置を提供することを目的とする。
【課題を解決するための手段】
【０００６】
上記目的を達成するため、本発明の車両の制御装置では、駆動源と、クラッチと、動作指令値演算処理手段と、を備える手段とした。
前記クラッチは、前記駆動源と駆動輪との間に設けられ、スリップ締結したスリップ走行モードと完全締結した締結走行モードの間でモード遷移する。
前記動作指令値演算処理手段と、前記締結走行モードにおいて、前記駆動源への駆動トルク指令値を、クラッチ出力軸への目標伝達トルクに、前記駆動源の回転上昇のためのイナーシャ成分のトルクを加算した値とする。
【発明の効果】
【０００７】
例えば、締結走行モードにおいて、駆動源への駆動トルク指令値を、クラッチ出力軸への目標伝達トルクの値に設定すると、スリップ走行モードから締結走行モードへ遷移する際、実際にクラッチ出力軸へ伝達されるトルクは、駆動源の回転イナーシャ分だけクラッチ出力軸への目標伝達トルクよりも低下する。
これに対し、本発明では、締結走行モードにおいて、駆動源への駆動トルク指令値が、クラッチ出力軸への目標伝達トルクに、駆動源の回転上昇のためのイナーシャ成分のトルクを加算した値とされる。
このように、駆動源への駆動トルク指令値として、駆動源の回転上昇のためのイナーシャ成分のトルクを予め加算した値を設定することで、イナーシャ分だけ低下するトルクが、加算したイナーシャトルクにより相殺される。したがって、実際にクラッチ出力軸を経由して駆動輪へ伝達されるトルクが、クラッチ出力軸への目標伝達トルクから乖離するのが抑えられる。
この結果、クラッチを完全締結状態からスリップ締結状態に遷移させる際、または、スリップ締結状態から完全締結状態に遷移させる際、締結走行モードにおいて、駆動源の回転上昇のためのイナーシャトルクを予め加算した値を駆動源への駆動トルク指令値とすることで、駆動輪に出力されるトルクの変動を抑制することができる。
【図面の簡単な説明】
【０００８】
【図１】実施例１の制御装置が適用された前輪駆動または後輪駆動によるハイブリッド車両を示す全体システム図である。
【図２】実施例１の統合コントローラにおける統合演算処理構成を示す統合演算処理ブロック図である。
【図３】実施例１の統合コントローラの目標駆動力演算部で用いられる目標駆動力マップの一例を示す図である。
【図４】実施例１の統合コントローラのモード選択部でのモード選択処理の際に用いられる推定勾配に対するモードマップ選択特性を示す図である。
【図５】実施例１の統合コントローラのモード選択部で選択される通常モードマップの一例を示す図である。
【図６】実施例１の統合コントローラのモード選択部で選択される通MWSC対応モードマップの一例を示す図である。
【図７】実施例１の統合コントローラにおける第１クラッチCL1・第２クラッチCL2・エンジンEng・モータジェネレータMGの動作指令値演算処理構成を示す動作指令値演算処理ブロック図である。
【図８】実施例１の統合コントローラで行われる第１クラッチCL1・第２クラッチCL2・エンジンEng・モータジェネレータMGの動作指令値演算処理の流れを示すフローチャートである。
【図９】比較例の装置を搭載したハイブリッド車両にてWSC走行モードからHEV走行モードへ遷移する発進時におけるENG+MOTトルク・ENG+MOTトルク指令値・クラッチ容量（CL2）・目標T/M入力目標トルク・CVT伝達トルクの各特性を示すタイムチャートである。
【図１０】実施例１の装置を搭載したハイブリッド車両にてWSC走行モードからHEV走行モードへ遷移する発進時におけるENG/MOT回転数・ENG/MOT回転数指令値・CVT入力回転数・イナーシャトルク・ENG+MOTトルク・ENG+MOTトルク指令値・クラッチ容量（CL2）・目標T/M入力目標トルク・CVT伝達トルクの各特性を示すタイムチャートである。
【発明を実施するための形態】
【０００９】
以下、本発明の車両の制御装置を実現する最良の形態を、図面に示す実施例１に基づいて説明する。
【実施例１】
【００１０】
まず、構成を説明する。
実施例１のハイブリッド車両（車両の一例）の制御装置の構成を、「システム構成」、「統合コントローラの統合演算処理構成」、「モード選択部の構成」、「動作指令値演算処理構成」に分けて説明する。
【００１１】
［システム構成］
図１は、実施例１の制御装置が適用された前輪駆動または後輪駆動によるハイブリッド車両を示す全体システム図である。以下、図１に基づいて、システム構成を説明する。
【００１２】
実施例１におけるハイブリッド車両の駆動系は、図１に示すように、エンジンEng（駆動源）と、第１クラッチCL1と、モータジェネレータMG（駆動源）と、第２クラッチCL2（クラッチ）と、ベルト式無段変速機CVT（自動変速機）と、左駆動輪LTと、右駆動輪RTと、を備えている。そして、上記以外の駆動系構成として、メカオイルポンプM-O/Pと、変速機入力軸INと、変速機出力軸OUTと、ディファレンシャルDFと、左ドライブシャフトDSLと、右ドライブシャフトDSRと、を有する。
【００１３】
前記エンジンEngは、ガソリンエンジンやディーゼルエンジンであり、エンジンコントローラ１からのエンジン制御指令に基づいて、エンジン始動制御やエンジン停止制御やスロットルバルブのバルブ開度制御や燃料カット制御、等が行われる。なお、エンジン出力軸には、フライホイールFWが設けられている。
【００１４】
前記第１クラッチCL1は、エンジンEngとモータジェネレータMGの間に介装されたクラッチであり、第１クラッチコントローラ５からの第１クラッチ制御指令に基づき第１クラッチ油圧ユニット６により作り出された第１クラッチ制御油圧により、締結・スリップ締結状態・解放が制御される。この第１クラッチCL1としては、例えば、ピストン１４ａを有する油圧アクチュエータ１４を用いたノーマルオープンの乾式多板クラッチ、等が用いられる。
【００１５】
前記モータジェネレータMGは、ロータに永久磁石を埋設しステータにステータコイルが巻き付けられた同期型モータジェネレータであり、モータコントローラ２からの制御指令に基づいて、インバータ３により作り出された三相交流を印加することにより制御される。このモータジェネレータMGは、バッテリ４からの電力の供給を受けて回転駆動する電動機として動作することもできるし（力行）、ロータがエンジンEngや駆動輪から回転エネルギーを受ける場合には、ステータコイルの両端に起電力を生じさせる発電機として機能し、バッテリ４を充電することもできる（回生）。
【００１６】
前記メカオイルポンプM-O/Pは、モータジェネレータMGのモータ軸MSに設けられ、モータジェネレータMGにより駆動される。このメカオイルポンプM-O/Pは、ベルト式無段変速機CVTに付設される油圧コントロールバルブユニットCVUと、これに内蔵している第１クラッチ油圧ユニット６と第２クラッチ油圧ユニット８に対する油圧源とされる。なお、メカオイルポンプM-O/Pからの吐出圧が見込めないときや不足するときのため、電動モータにより駆動される図外の電動オイルポンプが設けられる。
【００１７】
前記第２クラッチCL2は、モータジェネレータMGと左右駆動輪LT,RTの間のうち、モータ軸MSと変速機入力軸INの間に介装されたクラッチである。この第２クラッチCL2は、ＣＶＴコントローラ７からの第２クラッチ制御指令に基づき、第２クラッチ油圧ユニット８により作り出された制御油圧により、締結・スリップ締結・解放が制御される。この第２クラッチCL2としては、例えば、比例ソレノイドで油流量および油圧を連続的に制御できるノーマルオープンの湿式多板クラッチ、等が用いられる。
【００１８】
前記ベルト式無段変速機CVTは、第２クラッチCL2の下流位置に配置され、車速やアクセル開度等に応じて目標入力回転数を決め、無段階による変速比を自動的に変更する自動変速機である。このベルト式無段変速機CVTは、変速機入力軸IN側のプライマリプーリ３１と、変速機出力軸OUT側のセカンダリプーリ３２と、両プーリ３１，３２に掛け渡されたベルト３３を主要構成とする。そして、ポンプ油圧を元圧とし、プライマリプーリ圧とセカンダリプーリ圧を作り出し、このプーリ圧によりプライマリプーリ３１の可動プーリとセカンダリプーリ３２の可動プーリを軸方向に動かし、ベルト３３のプーリ接触半径を変化させることで、変速比を無段階に変更する。
【００１９】
前記ベルト式無段変速機CVTの変速機出力軸OUTには、図外の終減速機構を介してディファレンシャルDFが連結され、ディファレンシャルDFから、左ドライブシャフトDSLと右ドライブシャフトDSRを介してそれぞれに左右駆動輪LT,RTが設けられている。
【００２０】
次に、ハイブリッド車両の制御系を説明する。
実施例１におけるハイブリッド車両の制御系は、図１に示すように、エンジンコントローラ１と、モータコントローラ２と、インバータ３と、バッテリ４と、第１クラッチコントローラ５と、第１クラッチ油圧ユニット６と、ＣＶＴコントローラ７と、第２クラッチ油圧ユニット８と、ブレーキコントローラ９と、統合コントローラ１０と、を有して構成されている。なお、各コントローラ１，２，５，７，９と、統合コントローラ１０とは、情報交換が互いに可能なＣＡＮ通信線１１を介して接続されている。
【００２１】
前記エンジンコントローラ１は、エンジン回転数センサ１２からのエンジン回転数情報と、統合コントローラ１０からのENGトルク指令値と、他の必要情報を入力する。そして、エンジン動作点（Ne,Te）を制御する指令を、エンジンEngのスロットルバルブアクチュエータ等へ出力する。
【００２２】
前記モータコントローラ２は、モータジェネレータMGのロータ回転位置を検出するレゾルバ１３からの情報と、統合コントローラ１０からのMOTトルク指令値またはMOT回転数指令値と、他の必要情報を入力する。そして、モータジェネレータMGのモータ動作点（Nm,Tm）を制御する指令をインバータ３へ出力する。なお、このモータコントローラ２は、モータトルクを目標トルクとし、回転数を駆動系の回転に追従させるトルク制御を基本制御とするが、第２クラッチCL2のスリップ制御中等においては、モータ回転数を目標回転数とし、トルクを駆動系負荷に追従させる回転数制御を行う。また、このモータコントローラ２は、バッテリ４の充電容量をあらわすバッテリSOCを監視していて、このバッテリSOC情報を、ＣＡＮ通信線１１を介して統合コントローラ１０へ供給する。
【００２３】
前記第１クラッチコントローラ５は、油圧アクチュエータ１４の油圧を検出する第１クラッチ油圧センサ１５からのセンサ情報と、統合コントローラ１０からのCL1容量指令値と、他の必要情報を入力する。そして、第１クラッチCL1の締結・スリップ締結・解放を制御する指令を油圧コントロールバルブユニットCVU内の第１クラッチ油圧ユニット６に出力する。
【００２４】
前記ＣＶＴコントローラ７は、アクセル開度センサ１６と、車速センサ１７と、他のセンサ類１８等からの情報を入力する。そして、Ｄレンジを選択しての走行時、アクセル開度APOと車速VSPにより決まる目標入力回転数をシフトマップにより検索し、検索された目標入力回転数（変速比）を得る制御指令を油圧コントロールバルブユニットCVUに出力する。この変速制御に加え、統合コントローラ１０からCL2容量指令値を入力した場合、第２クラッチCL2へのクラッチ油圧を制御する指令を油圧コントロールバルブユニットCVU内の第２クラッチ油圧ユニット８に出力する。
【００２５】
前記ブレーキコントローラ９は、４輪の各車輪速を検出する車輪速センサ１９と、ブレーキストロークセンサ２０からのセンサ情報と、統合コントローラ１０からの回生協調制御指令値と、他の必要情報を入力する。そして、例えば、ブレーキ踏み込み制動時、ブレーキストロークBSから求められる要求制動力に対し回生制動力だけでは不足する場合、その不足分を機械制動力（液圧制動力やモータ制動力）で補うように、回生協調ブレーキ制御を行う。
【００２６】
前記統合コントローラ１０は、車両全体の消費エネルギーを管理し、最高効率で車両を走らせるための機能を担うもので、モータ回転数Nmを検出するモータ回転数センサ２１やセカンダリプーリ回転数センサ２２等からの必要情報およびＣＡＮ通信線１１を介して情報を入力する。そして、エンジンコントローラ１へENGトルク指令値、モータコントローラ２へMOTトルク指令値またはMOT回転数指令値、第１クラッチコントローラ５へCL1容量指令値、ＣＶＴコントローラ７へCL2容量指令値、ブレーキコントローラ９へ回生協調制御指令値を出力する。
【００２７】
［統合コントローラの統合演算処理構成］
図２は、実施例１の統合コントローラ１０における統合演算処理構成を示す統合演算処理ブロック図であり、図３は目標駆動力マップを示す。以下、図２及び図３に基づいて、統合コントローラ１０の統合演算処理構成を説明する。
【００２８】
前記統合コントローラ１０は、図２に示すように、目標駆動力演算部100と、モード選択部200と、目標充放電演算部300と、動作点指令部400と、を有する。
【００２９】
前記目標駆動力演算部100では、図３に示す目標駆動力マップを用いて、アクセル開度APOと車速VSPとから、目標駆動力を演算する。
【００３０】
前記モード選択部200は、推定された路面勾配（＝推定勾配）に基づいて、通常モードマップ（図５）とMWSC対応モードマップ（図６）のうち、いずれかのマップを選択し、車速VSPとアクセル開度APOに応じて目標モード（「HEV走行モード」、「EV走行モード」、「WSC走行モード」、「MWSC走行モード」等）を出力する。なお、このモード選択部200の詳しい構成の説明は後述する。
【００３１】
前記目標充放電演算部300では、図外の目標充放電量マップを用いて、バッテリSOCから目標充放電電力を演算する。
【００３２】
前記動作点指令部400では、アクセル開度APOと目標駆動力と目標モードと車速VSPと目標充放電電力とに基づき、第１クラッチCL1と第２クラッチCL2とエンジンEngとモータジェネレータMGの動作点到達目標として、CL1容量指令値、CL2容量指令値、ENGトルク指令値、MOTトルク指令値、MOT回転数指令値を演算する。
【００３３】
［モード選択部の構成］
図４は、実施例１の統合コントローラ１０のモード選択部200でのモード選択処理の際に用いられる推定勾配に対するモードマップ選択特性を示し、図５は、通常モードマップの一例を示し、図６は、MWSC対応モードマップの一例を示す。以下、図４〜図６に基づき、モード選択部200の構成を説明する。
【００３４】
前記モード選択部200では、例えば、前後Ｇセンサ値と車輪速加減速度値の差分により路面勾配の推定演算を行う。そして、図４に示すように、演算された推定勾配が第２閾値g2になるまでは、通常モードマップ（図５）を選択し、推定勾配が第２閾値g2以上になるとMWSC対応モードマップ（図６）を選択する。一方、MWSC対応モードマップ（図６）の選択時に推定勾配が第１閾値g1以下になると、通常モードマップ（図５）の選択に復帰する。そして、通常モードマップが選択されると、図５に示すように、車速VSPとアクセル開度APOに応じ、目標モードが、「HEV走行モード」、「EV走行モード」、「WSC走行モード」の何れかに決定される。また、MWSC対応モードマップが選択されると、図６に示すように、車速VSPとアクセル開度APOに応じ、目標モードが、「HEV走行モード」、「WSC走行モード」、「MWSC走行モード」の何れかに決定される。
【００３５】
前記モード選択部200で選択される目標モードとしては、上記のように、「EV走行モード」と、「HEV走行モード」、「WSC走行モード」、「MWSC走行モード」を有する。以下、各走行モードについて説明する。なお、「WSC」とは、「Wet Start Clutch」の略称である。
【００３６】
前記「EV走行モード（CL1解放/CL2締結走行モード）」は、第１クラッチCL1を解放状態とし、第２クラッチCL2を締結状態とし、モータジェネレータMGを駆動源として停止/走行するモードであり、モータ走行モード・回生走行モードを有し、何れかのモードにより走行する。この「EV走行モード」は、目標駆動力が低く、バッテリSOCが確保されているようなときに選択される。
【００３７】
前記「HEV走行モード（CL1締結/CL2締結走行モード）」は、第１クラッチCL1を締結状態とし、第２クラッチCL2を締結状態とし、エンジンEngとモータジェネレータMGを駆動源として走行するモードであり、モータアシスト走行モード・発電走行モード・エンジン走行モードを有し、何れかのモードにより停止/走行する。この「HEV走行モード」は、目標駆動力が高くモータアシスト走行が要求されるようなとき、あるいは、バッテリSOCの不足によりエンジン発電が要求されるようなときに選択される。
【００３８】
前記「WSC走行モード（CL1締結/CL2スリップ締結走行モード）」は、第１クラッチCL1を締結状態とし、第２クラッチCL2をスリップ締結状態に維持し、第２クラッチCL2を経過するクラッチ伝達トルクが、ドライバー要求に基づいて設定される目標駆動力になるようにCL2トルク容量をコントロールしながら停止/走行するモードである。この「WSC走行モード」は、目標駆動力が高い停車時や発進時等のように、エンジン回転数がアイドル回転数を下回る領域において、第２クラッチCL2により回転差を吸収する必要があるときに選択される。そして、「WSC走行モード」の選択状態での発進時、車速が上昇することで第２クラッチCL2により回転差を吸収するスリップ締結を要さない走行域になると「HEV走行モード」へモード遷移する。
【００３９】
前記「MWSC走行モード（CL1解放/CL2スリップ締結走行モード）」は、エンジンEngを作動状態のままで第１クラッチCL1を解放状態とし、第２クラッチCL2をエンジンアイドル回転数に拘束されずに目標スリップ回転数を抑えたスリップ締結状態に維持する。そして、第２クラッチCL2を経過するクラッチ伝達トルクが、車両停止状態や運転者操作に応じて決まる目標駆動力となるようにCL2トルク容量をコントロールしながら停止/走行するモードである。この「MWSC走行モード」は、目標スリップ回転数を大きく維持したままであると第２クラッチCL2への熱負荷が大きくなる勾配停車時や勾配路発進時等のように、第２クラッチCL2の熱保護が要求される領域において選択される。そして、「MWSC走行モード」の選択状態での勾配路発進時、アクセル踏み込み操作を行うと「WSC走行モード」→「HEV走行モード」へとモード遷移する。
【００４０】
［動作指令値演算処理構成］
図７は、実施例１の統合コントローラ１０における第１クラッチCL1・第２クラッチCL2・エンジンEng・モータジェネレータMGの動作指令値演算処理構成を示し、図８は、動作指令値演算処理の流れを示す。以下、図７及び図８に基づき、動作指令値演算処理構成を説明する。
【００４１】
前記動作指令値演算処理構成としては、図７に示すように、目標駆動力演算部100と、モード選択部200と、動作点指令部400と、を備える。このうち、動作点指令部400は、T/M入力目標トルク演算部400aと、イナーシャトルク演算部400bと、トルク加算部400cと、クラッチ容量指令演算部400dと、ENG/MOTトルク配分部400eと、を有する。
【００４２】
前記T/M入力目標トルク演算部400aは、目標駆動力演算部100からの目標駆動力と、ベルト式無段変速機CVTの変速比（プライマリプーリ回転数とセカンダリプーリ回転数の比）を入力し、ベルト式無段変速機CVTを経由して左右駆動輪LT,RTに伝達される変速後のトルクが目標駆動力になるように、ベルト式無段変速機CVTへのT/M入力目標トルクを演算する。
【００４３】
前記イナーシャトルク演算部400bは、ベルト式無段変速機CVTの目標変速比Ratio0とセカンダリプーリ回転数OUTREVにより下記の式(1)により算出されるプライマリ回転加速度と、駆動源の回転によるイナーシャ（「ENGイナーシャ＋MOTイナーシャ」）と、の積算による下記の式(2)によりイナーシャトルクを演算する。
イナーシャトルク演算式は、
プライマリ回転加速度＝d/dt（Ratio0×OUTREV）
＝d/dt(Ratio0)×OUTREV＋d/dt(OUTREV)×Ratio0      …(1)
式(1)で、d/dt(OUTREV)は、大きなノイズが出るので、強いフィルタをかける。
イナーシャトルク＝プライマリ回転加速度×イナーシャ                    …(2)
である。
【００４４】
前記トルク加算部400cは、T/M入力目標トルク演算部400aからのT/M入力目標トルクと、イナーシャトルク演算部400bからのイナーシャトルクを加算し、加算した値をENG+MOT目標トルクとする。
【００４５】
前記クラッチ容量指令演算部400dは、T/M入力目標トルク演算部400aからのT/M入力目標トルクと、モード選択部200からの目標モードを入力し、第１クラッチCL1へのCL1容量指令値と第２クラッチCL2へのCL2容量指令値を演算する。CL1容量指令値は、目標モードが「HEV走行モード」と「WSC走行モード」のときにロックアップ指令値（L/U指令値）であり、「EV走行モード」と「MWSC走行モード」のときに解放指令値である。CL2容量指令値は、「HEV走行モード」と「EV走行モード」のときにロックアップ指令値（L/U指令値）であり、「WSC走行モード」と「MWSC走行モード」のときにT/M入力目標トルクによるスリップ締結指令値である。
【００４６】
前記ENG/MOTトルク配分部400eは、トルク加算部400cからのENG+MOT目標トルクを入力し、これをエンジンEngとモータジェネレータMGに配分することで、エンジンEngが受け持つ分をENGトルク指令値とし、モータジェネレータMGが受け持つ分をMOTトルク指令値とする。
【００４７】
図７に示す動作指令値演算処理構成による処理の流れを、図８に示すフローチャートに基づき説明する。
【００４８】
ステップＳ８１では、目標駆動力演算部100にて目標駆動力を演算し、ステップＳ８２へ進む。
【００４９】
ステップＳ８２では、ステップＳ８１での目標駆動力演算に続き、T/M入力目標トルク演算部400aにて、目標駆動力演算部100からの目標駆動力を、ベルト式無段変速機CVTの変速比により除算することで、T/M入力目標トルクを演算し、ステップＳ８３へ進む。
【００５０】
ステップＳ８３では、ステップＳ８２でのT/M入力目標トルク演算に続き、イナーシャトルク演算部400bにて上記式(1),(2)によりイナーシャトルク（＝慣性トルク）を演算し、ステップＳ８４へ進む。
【００５１】
ステップＳ８４では、ステップＳ８３での慣性トルク演算に続き、トルク加算部400cにて、T/M入力目標トルク演算部400aからのT/M入力目標トルクと、イナーシャトルク演算部400bからのイナーシャトルクを加算することで、ENG+MOT目標トルクを演算し、ステップＳ８５へ進む。
【００５２】
ステップＳ８５では、ステップＳ８４でのENG+MOT目標トルク演算に続き、ENG/MOTトルク配分部400eにて、ENG+MOT目標トルクをエンジントルクとモータジェネレータトルクに配分することで、ENGトルク指令値を演算し、ステップＳ８６へ進む。
【００５３】
ステップＳ８６では、ステップＳ８５でのENGトルク指令値演算に続き、第２クラッチCL2をスリップ締結したスリップ走行モード（WSC）であるか、第２クラッチCL2を完全締結した締結走行モード（L/U）であるかどうかを判断する。スリップ走行モード（WSC）であると判断されるとステップＳ８７へ進み、締結走行モード（L/U）であると判断されるとステップＳ８９へ進む。
ここで、締結走行モード（L/U）とは、「HEV走行モード」、「EV走行モード」をいい、スリップ走行モード（WSC）とは、「WSC走行モード」、「MWSC走行モード」をいう。
【００５４】
ステップＳ８７では、ステップＳ８６でのスリップ走行モード（WSC）であると判断に続き、CL2容量指令値を演算し、ステップＳ８６へ進む。
ここで、スリップ走行モード（WSC）でのCL2容量指令値は、ステップＳ８２で演算されたT/M入力目標トルクの値に設定する。
【００５５】
ステップＳ８８では、ステップＳ８７でのCL2容量指令値の演算に続き、第２クラッチCL2の入力回転数と出力回転数の回転数差が所定の値を維持するように回転数制御するモータジェネレータMGへのMOT回転数指令値を演算し、リターンへ進む。
【００５６】
ステップＳ８９では、ステップＳ８６での締結走行モード（L/U）であると判断に続き、CL2容量指令値（＝L/U指令値）を演算し、ステップＳ９０へ進む。
ここで、CL2容量指令値は、スリップ走行モード（WSC）から締結走行モード（L/U）へモード遷移すると、時間の経過と共に徐々に高め、最終的に目標駆動力よりも十分大きく、第２クラッチCL2のスリップを許容しない値とする。
【００５７】
ステップＳ９０では、ステップＳ８９でのCL2容量指令値演算に続き、エンジン回転数検出値とエンジン性能マップ（ENG回転数に対するENGトルクの関係特性）に基づき、ENG推定トルクを演算し、ステップＳ９１へ進む。
【００５８】
ステップＳ９１では、ステップＳ９０でのENG推定トルク演算に続き、モータジェネレータMGへのMOTトルク指令値を演算し、リターンへ進む。
ここで、MOTトルク指令値は、
MOTトルク指令値＝「ENG+MOT目標トルク」−ENG推定トルク      …(3)
の式により算出する。
【００５９】
次に、作用を説明する。
実施例１のハイブリッド車両の制御装置における作用を、「比較例の課題」、「モード遷移時の動作指令値演算処理作用」、「WSC発進時におけるT/M入力目標トルク実現作用」に分けて説明する。
【００６０】
［比較例の課題］
例えば、スリップ走行モードにおいて、クラッチのトルク容量指令値を、T/M入力目標トルクに設定し、駆動源を、クラッチのスリップ締結を維持するように回転数制御する。そして、締結走行モードにおいて、駆動源への駆動トルク指令値を、T/M入力目標トルクの値に設定するものを比較例とする。
【００６１】
この比較例の場合、スリップ走行モードにおいて、クラッチ容量指令値を、T/M入力目標トルクに設定し、駆動源を回転数制御すると、駆動源は、イナーシャ分だけ多くトルクを出しながらスリップ締結を維持する。
すなわち、図９に示す時刻t0〜t1のスリップ走行モードにおいて、駆動源は、駆動系の負荷に合わせて目標回転数を維持する回転数制御を行っているため、目標回転数を維持しようとトルクを出すことで、結果的に、駆動源はイナーシャ分のトルクを多く出すことになる（図９の矢印Ａ）。したがって、このスリップ走行モードにおいては、クラッチ容量指令値によるT/M入力目標トルク（図９の実線特性）と、実際に伝達している実T/M入力トルク（図９の破線特性）は、ほぼ一致したものとなる。
【００６２】
しかし、図９に示す時刻t1にてスリップ走行モードから締結走行モードへ遷移する際に、駆動源への駆動トルク指令値を、T/M入力目標トルクの値に設定すると、実際にクラッチの出力軸へ伝達される実T/M入力トルクは、駆動源の回転イナーシャ分だけT/M入力目標トルクの値よりも低下する。
すなわち、図９に示す時刻t1〜t2のモード遷移過渡期においては、クラッチの容量増に伴う上昇勾配を持つもののイナーシャ分だけ実T/M入力トルクがT/M入力目標トルクより低下する（図９の矢印Ｂ）。そして、図９に示す時刻t2以降の締結走行モードにおいては、イナーシャ分だけ実T/M入力トルクがT/M入力目標トルクより低下する（図９の矢印Ｃ）。したがって、スリップ走行モードから締結走行モードへ遷移する際、クラッチ容量指令値によるT/M入力目標トルク（図９の実線特性）と、実際に伝達している実T/M入力トルク（図９の破線特性）は乖離し、時刻t1にて実T/M入力トルク、つまり、駆動輪へ伝達される実駆動トルクが低下し、目標駆動力が得られない。
【００６３】
特に、ベルト式無段変速機CVTを搭載したハイブリッド車両では、クラッチがスリップ締結状態であっても完全締結状態であっても変速制御を継続しながら走行する。このために、イナーシャ分の実駆動トルクの低下に、変速比変化に伴う伝達トルク変動が加わり、駆動輪へ伝達される実駆動トルクの変動が大きくなる。
【００６４】
［モード遷移時の動作指令値演算処理作用］
上記比較例の課題を解決するには、締結走行モードにおいて、イナーシャ分の実駆動トルクの変動を抑える工夫が必要である。以下、図８に基づき、これを反映するモード遷移時の動作指令値演算処理作用を説明する。
【００６５】
停止/走行時には、選択されている走行モードにかかわらず、図８のフローチャートにおいて、ステップＳ８１→ステップＳ８２→ステップＳ８３→ステップＳ８４→ステップＳ８５→ステップＳ８６へと進む。ステップＳ８１では、目標駆動力演算部100にて目標駆動力が演算され、ステップＳ８２では、T/M入力目標トルク演算部400aにてT/M入力目標トルクが演算され、ステップＳ８３では、イナーシャトルク演算部400bにてプライマリ回転加速度を用いてイナーシャトルク（＝慣性トルク）が演算される。そして、ステップＳ８４では、トルク加算部400cにてENG+MOT目標トルクが演算され、ステップＳ８５では、ENG/MOTトルク配分部400eにて「目標駆動力＋慣性トルク」をMOTトルクとENGトルクに配分することで、ENGトルク指令値が演算される。
【００６６】
次に、ステップＳ８６にてスリップ走行モード（WSC）であると判断されると、図８のフローチャートにおいて、ステップＳ８６からステップＳ８７→ステップＳ８８→リターンへと進む。ステップＳ８７では、CL2容量指令値（＝T/M入力目標トルク）が演算され、ステップＳ８８では、第２クラッチCL2のスリップ締結を維持するモータジェネレータMGへのMOT回転数指令値（＝目標モータ回転数）が演算される。
【００６７】
一方、ステップＳ８６にて締結走行モード（L/U）であると判断されると、図８のフローチャートにおいて、ステップＳ８６からステップＳ８９→ステップＳ９０→ステップＳ９１→リターンへと進む。ステップＳ８９では、CL2容量指令値（＝L/U指令値）が演算され、ステップＳ９０では、ENG推定トルクが演算され、ステップＳ９１では、モータジェネレータMGへのMOTトルク指令値が演算される。
【００６８】
すなわち、締結走行モードにおいて、エンジンEng及びモータジェネレータMGへのENGトルク指令値及びMOTトルク指令値が、T/M入力目標トルク（＝第２クラッチCL2の出力軸への目標伝達トルク）に、エンジンEng及びモータジェネレータMGの回転上昇のためのイナーシャ成分の慣性トルクを加算した値とされる。
【００６９】
［WSC発進時におけるT/M入力目標トルク実現作用］
上記モード遷移時の動作指令値演算処理を行うことで、「WSC走行モード」を選択しての発進時において「HEV走行モード」へモード遷移するとき、T/M入力目標トルクに沿った実T/M入力トルクの維持が実現される。以下、図１０に基づき、これを反映するWSC発進時におけるT/M入力目標トルク実現作用を説明する。
【００７０】
発進時、図１０に示す時刻t0〜t1の「WSC走行モード」において、エンジンENG及びモータジェネレータMGは、駆動系の負荷に合わせて目標回転数（＝T/M入力回転数＋スリップ回転数）を維持する回転数制御を行っている。このため、目標回転数を維持しようとトルクを出すことで、結果的に、エンジンENG及びモータジェネレータMGによる（ENG+MOTトルク）は、イナーシャ分のトルクを多く出すことになる（図１０の矢印Ａ）。したがって、「WSC走行モード」においては、クラッチ容量指令値によるT/M入力目標トルク（図１０の実線特性）と、実際に伝達している実T/M入力トルク（図１０の破線特性）は、ほぼ一致したものとなる。
【００７１】
そして、図１０に示す時刻t1にて「WSC走行モード」から「HEV走行モード」へモード遷移する際、エンジンENG及びモータジェネレータMGへのENG+MOTトルク指令値を、T/M入力目標トルクに、エンジンENG及びモータジェネレータMGの回転上昇のためのイナーシャトルクを加えた値に設定している。したがって、「HEV走行モード」へモード遷移に伴いイナーシャ分だけ低下するトルクが、加算したイナーシャトルクにより相殺され、実際に第２クラッチCL2の出力軸へ伝達される実T/M入力トルクは、T/M入力目標トルクの値に沿ったものとなる。
【００７２】
すなわち、図１０に示す時刻t1〜t2のモード遷移過渡期において、時刻t1にて実T/M入力トルクは、T/M入力目標トルクから低下することなく、時刻t2に向かって第２クラッチCL2の容量増に伴う上昇勾配を持つ特性を示す。この理由は、２クラッチCL2に差回転がある時刻t1〜t2の間は、第２クラッチCL2の容量増によって伝達トルクが決まるので、図１０の破線で示す実T/M入力トルクは徐々に上がる。そのとき、ENG+MOTトルクの特性が変化しないのに実T/M入力トルクが徐々に上がるのは、ENG/MOT回転数が下がるときのイナーシャトルク（図１０の時刻t1〜t2の間のイナーシャトルク特性）でバランスしていることによる。
【００７３】
そして、図１０に示す時刻t2以降の「HEV走行モード」においては、ENG+MOTトルク指令値に、予めイナーシャ分が加算されていることで（図１０の矢印Ｄ）、実T/M入力トルクは、T/M入力目標トルクに沿ったものとなり、比較例のように、実T/M入力トルクがT/M入力目標トルクより低下することはない。
【００７４】
したがって、「WSC走行モード」を選択しての発進時において「HEV走行モード」へモード遷移するとき、実際に伝達している実T/M入力トルク（図１０の破線特性）が、目標T/M入力目標トルク（図１０の実線特性）に沿ったものとなるというように、T/M入力目標トルクに沿った実T/M入力トルクの維持が実現され、この結果、ドライバー要求の目標駆動力が左右駆動輪LT,RTへ伝達される。
【００７５】
次に、効果を説明する。
実施例１のハイブリッド車両の制御装置にあっては、下記に列挙する効果を得ることができる。
【００７６】
(1) 駆動源（エンジンEng、モータジェネレータMG）と、
前記駆動源（エンジンEng、モータジェネレータMG）と駆動輪（左右駆動輪LT,RT）との間に設けられ、スリップ締結したスリップ走行モード（「WSC走行モード」等）と完全締結した締結走行モード（「HEV走行モード」等）の間でモード遷移するクラッチ（第２クラッチCL2）と、
前記締結走行モード（「HEV走行モード」等）において、前記駆動源（エンジンEng、モータジェネレータMG）への駆動トルク指令値（ENGトルク指令値、MOTトルク指令値）を、クラッチ出力軸への目標伝達トルク（T/M入力目標トルク）に、前記駆動源（エンジンEng、モータジェネレータMG）の回転上昇のためのイナーシャ成分のトルク（慣性トルク）を加算した値とする動作指令値演算処理手段（図７）と、
を備える。
このため、クラッチ（第２クラッチCL2）を完全締結状態からスリップ締結状態に遷移させる際、または、スリップ締結状態から完全締結状態に遷移させる際、締結走行モード（「HEV走行モード」等）において、駆動源（エンジンEng、モータジェネレータMG）の回転上昇のためのイナーシャトルクを予め加算した値を駆動源（エンジンEng、モータジェネレータMG）への駆動トルク指令値とすることで、駆動輪（左右駆動輪LT,RT）に出力されるトルクの変動を抑制することができる。
【００７７】
(2) 前記動作指令値演算処理手段（図７）は、前記スリップ走行モード（「WSC走行モード」等）と前記締結走行モード（「HEV走行モード」等）の間でモード遷移するとき、前記スリップ走行モード（「WSC走行モード」等）において、前記クラッチ（第２クラッチCL2）の伝達トルク容量指令値を、前記クラッチ出力軸への目標伝達トルク（T/M入力目標トルク）に設定し、前記駆動源（エンジンEng、モータジェネレータMG）を、前記クラッチ（第２クラッチCL2）の入力回転数と出力回転数の回転数差が所定の値を維持するように回転数制御する（図８）。
このため、(1)の効果に加え、スリップ走行モード（「WSC走行モード」等）と締結走行モード（「HEV走行モード」等）の間でモード遷移するとき、モード遷移の前後において、駆動輪（左右駆動輪LT,RT）に出力されるトルクの変動を抑制することができる。
【００７８】
(3) 前記クラッチ（第２クラッチCL2）と前記駆動輪（左右駆動輪LT,RT）との間の駆動伝達系に自動変速機（ベルト式無段変速機CVT）を有し、
前記動作指令値演算処理手段（図７）は、前記駆動源（エンジンEng、モータジェネレータMG）の回転上昇のためのイナーシャ成分のトルクを、前記自動変速機（ベルト式無段変速機CVT）の目標変速比Ratio0を使って演算するイナーシャトルク演算部400bを有する。
このため、(1)又は(2)の効果に加え、駆動系に自動変速機（ベルト式無段変速機CVT）を有する車両において、駆動源（エンジンEng、モータジェネレータMG）の回転イナーシャに影響する目標変速比Ratio0を用いることで、精度良くイナーシャトルクを演算することができる。
【００７９】
(4) 前記自動変速機は、プライマリプーリ３１とセカンダリプーリ３２と両プーリ３１，３２に掛け渡されたベルト３３とを有し、前記スリップ走行モード（「WSC走行モード」等）であるか前記締結走行モード（「HEV走行モード」等）であるかにかかわらず変速比の無段階制御を継続するベルト式無段変速機CVTであり、
前記イナーシャトルク演算部400bは、前記ベルト式無段変速機CVTの目標変速比Ratio0とセカンダリプーリ回転数OUTREVにより算出されるプライマリ回転加速度と、前記駆動源（エンジンEng、モータジェネレータMG）の回転に伴うイナーシャと、の積算によりイナーシャトルクを演算する。
このため、(3)の効果に加え、クラッチ（第２クラッチCL2）を完全締結状態からスリップ締結状態に遷移させる際、または、スリップ締結状態から完全締結状態に遷移させる際、モード遷移にかかわらず変速制御を継続するベルト式無段変速機CVTの変速比変化を原因とするトルク変動を抑制することができる。
【００８０】
以上、本発明の車両の制御装置を実施例１に基づき説明してきたが、具体的な構成については、この実施例１に限られるものではなく、特許請求の範囲の各請求項に係る発明の要旨を逸脱しない限り、設計の変更や追加等は許容される。
【００８１】
実施例１では、動作指令値演算処理手段（図７、図８）として、第２クラッチCL2の伝達トルク容量が最大となった以降においても、イナーシャ分のトルクを加算したままとする例を示した。しかし、動作指令値演算処理手段としては、スリップ（WSC）からロックアップ（L/U）へのモード遷移が完了してから、駆動源のトルク指令値を徐々に減らしていき、ロックアップ走行中（トルク制御中）に、イナーシャ分のトルクを加算する補正を止めても良い。
【００８２】
実施例１では、自動変速機として、ベルト式無段変速機CVTを用いる例を示した。しかし、自動変速機としては、トロイダル式のベルト式無段変速機CVTや有段階の変速段を得る自動変速機AT等のように他の型式のものを用いても良い。
【００８３】
実施例１では、クラッチとして、モータジェネレータMGとベルト式無段変速機CVTの間に介装した第２クラッチCL2を用いる例を示した。しかし、クラッチとしては、自動変速機として、有段の自動変速機ATを用いる場合、自動変速機ATに内蔵した摩擦締結要素の中から選択する例としても良い。さらに、自動変速機と駆動輪との間に独立のクラッチを介装する例としても良い。
【００８４】
実施例１では、駆動源として、エンジンEngとモータジェネレータMGを搭載したハイブリッド車両への適用例を示した。しかし、駆動源として、モータジェネレータのみを搭載した電気自動車へも適用することができる。さらに、駆動源として、エンジンのみを搭載したエンジン車へも適用することができる。
【符号の説明】
【００８５】
Eng  エンジン（駆動源）
CL1  第１クラッチ
MG  モータジェネレータ（駆動源）
MS  モータ軸
CL2  第２クラッチ（クラッチ）
CVT  ベルト式無段変速機
IN  変速機入力軸
OUT  変速機出力軸
M-O/P  メカオイルポンプ
LT  左駆動輪（駆動輪）
RT  右駆動輪（駆動輪）
１  エンジンコントローラ
２  モータコントローラ
３  インバータ
４  バッテリ
５  第１クラッチコントローラ
６  第１クラッチ油圧ユニット
７  ＣＶＴコントローラ
８  第２クラッチ油圧ユニット
９  ブレーキコントローラ
１０  統合コントローラ
100  目標駆動力演算部
200  モード選択部
400  動作点指令部
400a  T/M入力目標トルク演算部
400b  イナーシャトルク演算部
400c  トルク加算部
400d  クラッチ容量指令演算部
400e  ENG/MOTトルク配分部
【図１】
2013221478.tif 000003
【図２】
2013221478.tif 000004
【図３】
2013221478.tif 000005
【図４】
2013221478.tif 000006
【図５】
2013221478.tif 000007
【図６】
2013221478.tif 000008
【図７】
2013221478.tif 000009
【図８】
2013221478.tif 000010
【図９】
2013221478.tif 000011
【図１０】
2013221478.tif 000012